(57)【要約】【課題】水中でも画面が見やすい携帯端末装置を提供する。【解決手段】携帯端末装置１００は、その動作を制御する制御部２１０と、画像を表示する表示部２２０と、命令およびデータを格納するための記憶部２３０と、携帯端末装置１００が水中に存在していることを検知するための水検知部２４０と、携帯端末装置１００の周囲の照度を検出するための照度検出部２５０と、携帯端末装置１００にかかっている水圧を検出するための水圧検出部２６０とを備える。制御部２１０は、水検知部２４０からの出力と、水圧検出部２６０からの出力と、記憶部２３０に保持されているデータとを用いて、携帯端末装置１００の周りの照度を検出する周期を設定するための周期変更部２１１と、周期変更部２１１からの出力と、照度検出部２５０からの出力とに基づいて、表示部２２０における輝度を調整する輝度制御部２１２とを含む。【選択図】図２
2014175780.tif 000002
【特許請求の範囲】
【請求項１】
携帯端末装置であって、
発光機能を有し画面の明るさを変更可能な画像表示手段と、
前記携帯端末装置の周囲の明るさを検出するための照度検出手段と、
水を検出するための水検出手段と、
前記携帯端末装置が水中に存在している場合に、前記周囲の明るさに基づいて、前記画面の明るさを調整するための制御手段とを備える、携帯端末装置。
【請求項２】
前記制御手段は、前記周囲の明るさの検出の周期を変更するように構成されている、請求項１に記載の携帯端末装置。
【請求項３】
前記検出の周期を変更することは、水中において前記周囲の明るさを検出するための周期を、地上において前記周囲の明るさを検出するための周期よりも長くすることを含む、請求項２に記載の携帯端末装置。
【請求項４】
水圧を検出するための水圧検出手段をさらに備え、
前記制御手段は、前記携帯端末装置までの水深に応じて前記周期を変更するようにさらに構成されている、請求項１〜３のいずれか１項に記載の携帯端末装置。
【請求項５】
前記水深に応じて前記周期を変更することは、前記水深が深くなるにつれて前記周期を短くすることを含む、請求項４に記載の携帯端末装置。
【発明の詳細な説明】
【技術分野】
【０００１】
本発明は、携帯端末装置に関し、より特定的には、防水機能を有する携帯端末装置に関する。
【背景技術】
【０００２】
携帯電話その他の携帯端末装置は、照度センサを有し、液晶画面その他の表示画面の明暗を変更する機能がある。たとえば、照度センサは、携帯端末装置の周辺の明るさを検知し、晴天時の屋外のように周辺が明るい場合は、輝度を上げて画面を明るくし、夜間のように周辺が暗い状態の場合には、画面を暗くする。
【０００３】
ところで、携帯端末装置の中には防水機能を備え、水中でも使用できるものがある。しかしながら、水中では、水の流れ等の影響により、照度変化が激しい。そのため、照度センサによる、携帯端末装置の画面の明暗変更が、陸上と同じ設定のままでは、画面が明るくなったり、暗くなったりし易い。その結果、携帯端末装置のユーザにとって、画面がチカチカするように見え、画面が見づらくなる場合があった。
【０００４】
水中において用いられる携帯端末装置に関し、たとえば、特開２００５−３２８２２４号公報（特許文献１）は、「撮影環境が陸上、水中のいずれかであるかに応じ、ユーザによる設定内容を反映させつつ、撮影環境に適した撮影条件を設定できるデジタルカメラ」を開示している（［要約］参照）。
【０００５】
特開２０１０−２２４０６３号公報（特許文献２）は、「装置を大型化することなく単純で移動に関する制限がない構成を有し、水中であることを的確に検知することができる画像表示装置」を開示している（［要約］参照）。
【０００６】
特開２０１２−２７７０１号公報（特許文献３）は、「水中、高地などの環境に対応してボタンおよび入力領域のレイアウトを変化させることにより正確な入力を可能とするユーザインターフェース装置およびユーザインターフェース方法」を開示している（［要約］参照）。
【０００７】
特開２０１１−０７５９０５号公報（特許文献４）は、「水中で撮影をする際の操作を容易にかつ確実に行うことができる撮像装置」を開示している（［要約］参照）。
【０００８】
特開２０１１−２４９９８１号公報（特許文献５）は、「水中撮影における撮影行程と画像を関連付ける」ための技術を開示している（［要約］参照）。
【先行技術文献】
【特許文献】
【０００９】
【特許文献１】特開２００５−３２８２２４号公報
【特許文献２】特開２０１０−２２４０６３号公報
【特許文献３】特開２０１２−２７７０１号公報
【特許文献４】特開２０１１−０７５９０５号公報
【特許文献５】特開２０１１−２４９９８１号公報
【発明の概要】
【発明が解決しようとする課題】
【００１０】
しなしながら、依然として、水中において画面を見やすくするための技術が必要とされている。本開示は、上述のような問題点を解決するためになされたものであって、その目的は、水中において画面が見やすくなる携帯端末装置を提供することである。
【課題を解決するための手段】
【００１１】
一実施の形態に従う携帯端末装置は、発光機能を有し画面の明るさを変更可能な画像表示手段と、携帯端末装置の周囲の明るさを検出するための照度検出手段と、水を検出するための水検出手段と、携帯端末装置が水中に存在している場合に、周囲の明るさに基づいて、画面の明るさを調整するための制御手段とを備える。
【００１２】
好ましくは、制御手段は、周囲の明るさの検出の周期を変更するように構成されている。
【００１３】
好ましくは、検出の周期を変更することは、水中において周囲の明るさを検出するための周期を、地上において周囲の明るさを検出するための周期よりも長くすることを含む。
【００１４】
好ましくは、携帯端末装置は、水圧を検出するための水圧検出手段をさらに備える。制御手段は、携帯端末装置までの水深に応じて周期を変更するようにさらに構成されている。
【００１５】
好ましくは、水深に応じて周期を変更することは、水深が深くなるにつれて周期を短くすることを含む。
【００１６】
ある局面において、携帯端末装置の画面が見やすくなる。
この発明の上記および他の目的、特徴、局面および利点は、添付の図面と関連して理解されるこの発明に関する次の詳細な説明から明らかとなるであろう。
【図面の簡単な説明】
【００１７】
【図１】携帯端末装置１００のハードウェア構成を表わすブロック図である。
【図２】携帯端末装置１００の機能的構成を表わすブロック図である。
【図３】携帯端末装置１００におけるデータ構造を説明するための図である。
【図４】携帯端末装置１００が実行する処理の一部を表わすフローチャートである。
【図５】携帯端末装置１００が実行する処理の一部を表わすフローチャートである。
【図６】携帯端末装置１００が実行する処理の一部を表わすフローチャートである。
【発明を実施するための形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１９】
［技術思想］
まず、本発明の実施の形態に係る技術思想について説明する。本実施の形態に係る携帯端末装置は、たとえば、携帯電話、デジタルカメラ、ＧＰＳ端末その他の電子機器であって、防水機能とモニタとを備える電子機器によって実現される。
【００２０】
ある局面において、本実施の形態に係る携帯端末装置は、当該携帯端末装置が水中にあることが検知された場合に、照度センサで、携帯端末装置の周囲の明るさの変化量を検知する周期を変える。携帯端末装置は、照度センサによる検知の周期を、たとえば、地上では１秒に設定し、水中では５秒に設定する。
【００２１】
他の局面において、携帯端末装置は、当該検知の周期を、水深に応じて動的に設定し得る。水深は、水圧から推定できる。たとえば、水深の浅い場所については、その場所に届く光量が多く、また、水の流れにより照度変化が激しくなる。そこで、携帯端末装置は、照度センサによる明るさの検知の周期を、初期値よりも長く、たとえば、５秒毎に設定する。一方、水深が深い場所については、その場所に届く光量が少なくなるため、携帯端末装置は、当該検知の周期を、初期値よりも短く、たとえば、３秒に設定する。
【００２２】
＜ハードウェア構成＞
図１を参照して、本実施の形態に係る携帯端末装置１００の構成について説明する。図１は、携帯端末装置１００のハードウェア構成を表わすブロック図である。携帯端末装置１００は、ＣＰＵ（Central  Processing  Unit）１１０と、モニタ１２０と、メモリ１３０と、水を検出するための水センサ１４０と、照度センサ１５０と、水圧を検出するための圧力センサ１６０とを備える。
【００２３】
ＣＰＵ１１０と、モニタ１２０と、メモリ１３０と、水センサ１４０と、照度センサ１５０と、圧力センサ１６０とは、それぞれ信号線、データバスなどによって相互に接続されている。ＣＰＵ１１０は、水センサ１４０、照度センサ１５０および圧力センサ１６０〜出力される信号を受け、メモリ１３０に格納されているプログラムまたはデータに基づいて、携帯端末装置１００の動作を制御する。
【００２４】
ＣＰＵ１１０は、モニタ１２０に画像を表示する。モニタ１２０は、液晶モニタ、有機ＥＬ（Electro  Luminescence）モニタその他の画像表示装置によって実現される。
【００２５】
ＣＰＵ１１０は、水センサ１４０から出力される信号に基づいて、携帯端末装置１００が水中に存在していることを検知する。ＣＰＵ１１０は、照度センサ１５０から出力される信号に基づいて、携帯端末装置１００の周囲の明るさを検出する。水圧は水深に応じて変化する。そこで、ＣＰＵ１１０は、圧力センサ１６０から出力される信号に基づいて、携帯端末装置１００が存在している場所の水深を推定する。ＣＰＵ１１０は、各センサからの出力を用いた検出結果に基づいて、モニタ１２０における輝度を制御する。
【００２６】
メモリ１３０は、不揮発メモリまたは揮発メモリのいずれによっても実現される。
＜機能構成＞
図２を参照して、本実施の形態に係る携帯端末装置１００によって実現される機能の構成について説明する。図２は、携帯端末装置１００の機能的構成を表わすブロック図である。携帯端末装置１００は、ある局面において、制御部２１０と、表示部２２０と、記憶部２３０と、水検知部２４０と、照度検出部２５０と、水圧検出部２６０とを備える。制御部２１０は、周期変更部２１１と、輝度制御部２１２とを含む。
【００２７】
制御部２１０は、携帯端末装置１００の動作を制御する。制御部２１０は、たとえば、ＣＰＵ１１０によって実現される。他の局面において、制御部２１０は、各処理を実現する回路素子その他のハードウェアによっても実現される。
【００２８】
表示部２２０は、画像を表示する。表示部２２０は、モニタ１２０によって実現される。
【００２９】
記憶部２３０は、予め規定された処理を制御部２１０に実行させるための命令およびデータを格納している。記憶部２３０は、たとえば、携帯端末装置１００にメモリ１３０によって実現される。
【００３０】
水検知部２４０は、携帯端末装置１００が水中に存在していることを検知する。照度検出部２５０は、携帯端末装置１００の周囲の照度を検出する。水圧検出部２６０は、携帯端末装置１００にかかっている水圧を検出する。
【００３１】
周期変更部２１１は、水検知部２４０からの出力と、水圧検出部２６０からの出力と、記憶部２３０に保持されているデータとを用いて、携帯端末装置１００の周りの照度を検出する周期を設定する。たとえば、周期変更部２１１は、予め設定された標準の周期、水中に携帯端末装置１００が存在する場合における周期、水深が深くなるにつれて規定されている周期等の中から、その時の状況に応じた周期を選択する。
【００３２】
輝度制御部２１２は、周期変更部２１１からの出力と、照度検出部２５０からの出力とに基づいて、表示部２２０における輝度を調整する。
【００３３】
＜データ構造＞
図３を参照して、本実施の形態に係る携帯端末装置１００のデータ構造について説明する。図３は、携帯端末装置１００におけるデータ構造を説明するための図である。
【００３４】
ある局面において、本実施の形態に係る携帯端末装置１００では、検出される水深と、周期との関係が規定されている。たとえば、水深が２メートル深くなる毎に照度を検出するための周期（ミリ秒）が規定されている。図３に示される関係は、たとえば規定される周期がステップ状に設定されている。なお、水深と周期との関係は図３に示されるものに限られず、たとえば水深と周期とが連続的な関数によって規定されるものであってもよい。
【００３５】
＜制御構造＞
図４から図６を参照して、本実施の形態に係る携帯端末装置１００の制御構造について説明する。図４から図６は、携帯端末装置１００が実行する処理の一部を表わすフローチャートである。
【００３６】
図４を参照して、ステップＳ４１０にて、ＣＰＵ１１０は、照度センサ１５０の周期を変更する。周期の変更の処理の詳細は、後述する。
【００３７】
ステップＳ４２０にて、ＣＰＵ１１０は、モニタ１２０の輝度を設定する。
図５を参照して、ステップＳ５１０にて、ＣＰＵ１１０は、水センサ１４０からの出力に基づいて、携帯端末装置１００が水中に存在しているか否かを判断する。ＣＰＵ１１０は、携帯端末装置１００が水中に存在していると判断すると（ステップＳ５１０にてＹＥＳ）、制御をステップＳ５２０に切り換える。そうでない場合には（ステップＳ５１０にてＮＯ）、ＣＰＵ１１０は、制御をステップＳ５５０に切り換える。
【００３８】
ステップＳ５２０にて、ＣＰＵ１１０は、圧力センサ１６０からの出力に基づいて携帯端末装置１００のおおよその水深を判断する。ＣＰＵ１１０は、携帯端末装置１００の水深が予め規定された水深よりも浅いと判断すると、制御をステップＳ５３０に切り換える。ＣＰＵ１１０は、携帯端末装置１００が予め設定された水深よりも深い場所に存在していると判断すると、制御をステップＳ５４０に切り換える。
【００３９】
ステップＳ５３０にて、ＣＰＵ１１０は、照度センサ１５０による検出の周期をたとえば５ミリ秒に設定する。この周期は、予め規定された周期よりも長い周期として規定されている。
【００４０】
ステップＳ５４０にて、ＣＰＵ１１０は、照度センサ１５０による検出の周期をたとえば３ミリ秒に設定する。この場合の周期は、予め規定されている周期と同程度（中位）の周期に相当する。
【００４１】
ステップＳ５５０にて、ＣＰＵ１１０は、照度センサ１５０による検出の周期をたとえば１ミリ秒に設定する。この場合の周期は、予め規定された周期より短かめの周期として設定される。その後、処理はメイン処理（図４）に戻される。
【００４２】
図６を参照して、ステップＳ６１０にて、ＣＰＵ１１０は、照度センサ１５０による周期が満了後の取得値を判断する。ＣＰＵ１１０は、照度センサ１５０による取得値が予め規定された値よりも明るい値であると判断すると、制御をＳ６２０に切り換える。ＣＰＵ１１０は、当該取得値が予め規定された取得値よりも暗い値であると判断すると、制御をステップＳ６３０に切り換える。
【００４３】
ステップＳ６２０にて、ＣＰＵ１１０は、照度センサ１５０からの信号に基づいて、モニタ１２０における画面の輝度を、たとえば輝度レベル５（明るい値）に設定する。このときの輝度値は、予め規定された輝度値よりも明るい値として規定されている。
【００４４】
ステップＳ６３０にて、ＣＰＵ１１０は、モニタ１２０の画面の輝度値を輝度レベル１に設定する。このときの輝度値は、予め規定された値よりも暗い値として予め規定されている。
【００４５】
ステップＳ６４０にて、ＣＰＵ１１０は、設定された輝度値に基づいてモニタ１２０の画面を発光させる。
【００４６】
その後、処理はメイン処理（図４）に戻される。これにより、携帯端末装置１００は、水深に応じて調整された輝度で画面を表示する。
【００４７】
なお、輝度レベル１，５は、例示であって上記のものに限定されない。また、輝度レベルの大きさは、さらに多段階に設定されてもよい。
【００４８】
以上のようにして、本実施の形態に係る携帯端末装置１００によれば、水中で短時間に周りの照度が変わった場合でも、照度センサで照度を検知する周期がゆっくりとなるため、携帯端末装置１００が地上にある場合のように、モニタ１２０の画面の明暗が頻繁に反映されなくなり、画面の視認性の低下が防止される。また、その周期が水深に応じて動的に変更することができる。
【００４９】
その結果、照度変化の激しい水中においても、携帯端末装置１００の画面が見やすくなる。
【００５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５１】
１００  携帯端末装置、１１０  ＣＰＵ、１２０  モニタ、１３０  メモリ、１４０  水センサ、１５０  照度センサ、１６０  圧力センサ、２１０  制御部、２１１  周期変更部、２１２  輝度制御部、２２０  表示部、２３０  記憶部、２４０  水検知部、２５０  照度検出部、２６０  水圧検出部。
【図１】
2014175780.tif 000003
【図２】
2014175780.tif 000004
【図３】
2014175780.tif 000005
【図４】
2014175780.tif 000006
【図５】
2014175780.tif 000007
【図６】
2014175780.tif 000008